(57)【要約】【課題】レンズおよび撮像素子を備えるカメラ機能を有する携帯電話等の携帯電子機器において、従来の撮像装置よりさらに小形化およびコストの低減化を図ることができる小形撮像モジュールを提供する。【解決手段】レンズ組体は、レンズ２とレンズ２を収容するレンズホルダ４より構成されている。レンズホルダ４のレンズ収容孔内壁に複数個の、傾斜面を持つレンズ調整部が設置されている。レンズ２の上面に治具嵌合用溝が、下面外周付近に下部に突出する複数個の調整足が設けられている。レンズ収容孔にレンズ２を挿入し、レンズの複数個の調整足をレンズ調整部の複数個の傾斜面に押し当て、治具嵌合用溝に治具を嵌合させてレンズを回転させることにより、レンズが上下方向に移動し固体撮像素子６に対する焦点調整を行う。レンズは接着剤または他の工法で固定する。【選択図】　　　　図１
2004077968.tif 000002
【特許請求の範囲】
【請求項１】
レンズ組体下面に固体撮像素子を取り付けて構成される小形撮像モジュールにおいて、
前記レンズ組体は、レンズと該レンズを収容するレンズホルダより構成され、
前記レンズホルダのレンズ収容孔内壁に複数個の、傾斜面を持つレンズ調整部を設置するともに前記レンズの上面に治具嵌合用溝を、下面外周付近に下部に突出する複数個の調整足を設け、
前記レンズ収容孔に前記レンズを挿入し、前記レンズの複数個の調整足を前記レンズ調整部の複数個の傾斜面に押し当て、前記治具嵌合用溝に治具を嵌合させてレンズを回転させることにより、前記調整足が前記レンズ調整部の傾斜面を滑動しレンズを上下方向に移動させ固体撮像素子に対する焦点調整を行うことを特徴とする小形撮像モジュール。
【請求項２】
前記レンズ収容孔の内壁に、光軸方向に延びる複数個のリブを設け、レンズ外周面を前記リブに圧接させることにより前記レンズ収容孔の軸に対しレンズの光軸を同軸保持させることを特徴とする請求項１記載の小形撮像モジュール。
【請求項３】
前記レンズ上面を絞り搭載面としたことを特徴とする請求項１または２記載の小形撮像モジュール。
【請求項４】
前記レンズ収容孔の内壁の複数個所にレンズ固定用溝を設け、レンズ焦点調整を終了した後、レンズ固定用溝に接着剤を注入してレンズを固定することを特徴とする請求項１，２または３記載の小形撮像モジュール。
【発明の詳細な説明】
【０００１】
【発明の属する技術分野】
本発明は、携帯電話，ＰＨＳなどの携帯電子機器に用いられる小形撮像モジュール、さらに詳しくいえば、小形撮像モジュールを構成するレンズ組体の構造に関する。
【０００２】
【従来の技術】
携帯電子機器に内蔵されるカメラ機能は小形撮像装置により実現される。
従来の小形撮像装置のレンズ周りの構成はレンズ，レンズ鏡枠およびレンズホルダにより構成されている。
図７は、従来の小形撮像装置の一例を示す図である。
撮像素子２８を取り付けた基板２９の上にホルダ２７が搭載されている。ホルダ２７の内壁に雌ネジ２７ａが設けられ、一方、レンズ２６を取り付けた円筒形の鏡枠２５の外周には雄ネジ２５ａが設けられている。
レンズの取り付けは、鏡枠２５をホルダ２７に螺合することにより行われ、焦点位置は鏡枠２５取り付け時の回転量を調整することにより設定することが可能である。
【０００３】
【発明が解決しようとする課題】
従来の小形撮像装置のレンズ組体は、このように３つの部材から構成され、焦点調整機能を備えつつ小形化が実現されている。
しかしながら、携帯電子機器のさらなる軽薄短小化にともなって、携帯電話等の携帯電子機器に内蔵される小形撮像モジュールも一層の小形化が求められている。
本発明の目的は、レンズおよび撮像素子を備えるカメラ機能を有する携帯電話等の携帯電子機器において、従来の撮像装置よりさらに小形化およびコストの低減化を図ることができる小形撮像モジュールを提供することにある。
【０００４】
【課題を解決するための手段】
前記目的を達成するために本発明による小形撮像モジュールは、レンズ組体下面に固体撮像素子を取り付けて構成される小形撮像モジュールにおいて、前記レンズ組体は、レンズと該レンズを収容するレンズホルダより構成され、前記レンズホルダのレンズ収容孔内壁に複数個の、傾斜面を持つレンズ調整部を設置するともに前記レンズの上面に治具嵌合用溝を、下面外周付近に下部に突出する複数個の調整足を設け、前記レンズ収容孔に前記レンズを挿入し、前記レンズの複数個の調整足を前記レンズ調整部の複数個の傾斜面に押し当て、前記治具嵌合用溝に治具を嵌合させてレンズを回転させることにより、前記調整足が前記レンズ調整部の傾斜面を滑動しレンズを上下方向に移動させ固体撮像素子に対する焦点調整を行うように構成されている。
また、本発明は上記構成において、前記レンズ収容孔の内壁に、光軸方向に延びる複数個のリブを設け、レンズ外周面を前記リブに圧接させることにより前記レンズ収容孔の軸に対しレンズの光軸を同軸保持させるように構成されている。さらに本発明は上記構成において、前記レンズ上面を絞り搭載面として構成されている。
さらには本発明は上記構成において、前記レンズ収容孔の内壁の複数個所にレンズ固定用溝を設け、レンズ焦点調整を終了した後、レンズ固定用溝に接着剤を注入してレンズを固定するように構成されている。
【０００５】
【作用】
上記構成によれば、従来の撮像装置に比較してレンズに調整機能を直接付与することにより部品の削減が可能となり、コストの低減とモジュールの小形化が可能となる。
【０００６】
【発明の実施の形態】
以下、図面を参照して本発明の実施の形態を詳しく説明する。
図１は、本発明による小形撮像モジュールの実施の形態を示すＡ−Ａ断面図である。
この実施の形態は、固体撮像素子６が搭載されたプリント基板７にレンズホルダ４を固定し、レンズ２を治具により回転させて組み込み焦点調整を行い、接着剤によりレンズ２を固定したものである。
レンズホルダ４にレンズ２を組み込んだレンズ組体は、固体撮像素子６の上部に赤外線カットフィルタ５が配置され、さらに焦点調整が終了したレンズ２の上面に絞り３が搭載される。
【０００７】
レンズ２を組み込みのためレンズ２をレンズホルダ４に挿入し、治具嵌合溝２０に治具の先端を入れて回転させることによりレンズ２の調整足１７ａ，１７ｂ，１７ｃがレンズ調整部１２，１３，１４の上を滑動し、レンズ２を光軸方向に上下に移動させることができ焦点調整が可能となる。
【０００８】
図２は、図１のレンズホルダの詳細を示す斜視図、図３（ａ）はレンズホルダの平面図，図３（ｂ）はＢ−Ｂ断面図である。
レンズホルダ４は中央に円筒状のレンズ収容孔１５を有し、円筒外周面前部に支持部１０が前方向に突出した状態で形成されている。また、円筒外周面後部に支持部１１が左右方向に突出した状態で形成されている。支持部１０の端部に設けられている長溝９ｃ，支持部１１の両端部に設けられている長溝９ａ，９ｂを位置決めピンに嵌合することによりレンズホルダのプリント基板７に対する位置決めが行われる。レンズ収容孔を構成する円筒の上面１５ａは支持部１０，１１の上面１０ａ，１１ａ，支柱２２，２３の上面２２ａ，２３ａより僅かに低くなっている。
【０００９】
レンズ収容孔１５の内壁には、傾斜面１２ａを持つレンズ調整部１２，傾斜面１３ａを持つレンズ調整部１３および傾斜面１３ａを持つレンズ調整部１３が１２０度間隔で設けられている。さらに突堤２１ａ，２１ｂ，２１ｃが内壁面から僅かに突出して光軸方向に延びている。各突堤も１２０度間隔で設けられている。レンズ収容孔１５の底部には上述した赤外線カットフィルタを配置する配置面１５ｂが形成され、配置面の中央を貫いて撮像素子に至る貫通孔１６が設けられている。
レンズ収容孔１５の内壁にはさらに接着剤注入溝８ａ，８ｂ，８ｃ，８ｄが設けられている。
【００１０】
図４は、レンズの詳細を示す図で、（ａ）は平面図，（ｂ）は正面図，（ｃ）はＣ−Ｃ断面図である。
レンズ２は中央部分がレンズ機能部であり、レンズ２の上面は、中央部分がレンズ第１面１８ａであり、その外縁部は絞り搭載面１９となる。さらに中央を横断するように治具嵌合溝２０ａが形成されている。レンズ２の下面は、中央部分がレンズ第２面１８ｂであり、その周辺部から３本の調整足１７ａ，１７ｂ，１７ｃが下部に突出している。調整足１７ａ，１７ｂ，１７ｃはレンズ調整面１２ａ，１３ａ，１４ａの上に接触して滑動するため、接触部は曲面（円形）形状となっている。
図５（ａ）（ｂ）（ｃ）は図４においてレンズを約４５度反時計方向に回転させたときの平面図，正面図およびＣ−Ｃ断面図を示したものである。
【００１１】
図６は、本発明による小形撮像モジュールのレンズ組体の一部を破断して示した斜視図である。
レンズ２をレンズホルダ３に挿入すると、レンズ２の調整足１７ａ，１７ｂ，１７ｃはレンズ調整面１２ａ，１３ａ，１４ａの上にそれぞれ突き当たるとともにレンズの外周面は３個の突堤２１ａ，２１ｂ，２１ｃに接する。レンズ２を回転させることにより、レンズ２をレンズ調整面１２ａ，１３ａ，１４ａにより上下に移動させて焦点調整をする。これとともに突堤２１ａ，２１ｂ，２１ｃにより外周面は規制されレンズ２はレンズ収容孔の同軸位置に保持される。この後、接着剤注入溝８ａ，８ｂ，８ｃ，８ｄに接着剤を注入してレンズ位置を固定する。
【００１２】
以上の実施の形態は、レンズ固定方法として４個所の溝に接着剤を注入した例を示したが、溝の数は２，３，５個というように４個以外の数でも良く、また、接着剤を用いずに他の工法で固定しても良い。
【００１３】
【発明の効果】
以上、説明したように本発明によれば、従来のレンズ，鏡枠，レンズホルダの構成に対し、レンズおよびレンズホルダに固定，焦点距離調整の機能を備えているため鏡枠を廃止して部品点数の削減を図ることができ小形化を実現することができる。また、部品点数の削減によりコストの低価格化および組み立て工程の簡易化を実現することができる。
【図面の簡単な説明】
【図１】本発明による小形撮像モジュールの実施の形態を示すＡ−Ａ断面図である。
【図２】図１のレンズホルダの詳細を示す斜視図である。
【図３】図１のレンズホルダを示す図で、（ａ）は平面図，（ｂ）はＢ−Ｂ断面図である。
【図４】レンズの詳細を示す図で、（ａ）は平面図，（ｂ）は正面図，（ｃ）はＣ−Ｃ断面図である。
【図５】レンズの詳細を示す図で、（ａ）は平面図，（ｂ）は正面から約４５度回転させた側面図，（ｃ）はＤ−Ｄ断面図である。
【図６】本発明による小形撮像モジュールのレンズ組体の一部を破断して示した斜視図である。
【図７】従来の小形撮像装置の代表的な例を示す図である。
【符号の説明】
１　小形撮像モジュール
２　レンズ
３　絞り
４　レンズホルダ
５　赤外線カットフィルタ
６　固体撮像素子
７　プリント基板
８ａ，８ｂ，８ｃ，８ｄ　接着剤注入溝
９ａ，９ｂ，９ｃ　位置決め溝
１０，１１　支持部
１２，１３，１４　レンズ調整部
１２ａ，１３ａ，１４ａ　傾斜面
１５　レンズ収容孔
１６　貫通孔
１７ａ，１７ｂ，１７ｃ　調整足
１８ａ　レンズ第１面
１８ｂ　レンズ第２面
１９　絞り搭載面
２０　治具嵌合溝
２１ａ，２１ｂ　突堤
【図１】
2004077968.tif 000003
【図２】
2004077968.tif 000004
【図３】
2004077968.tif 000005
【図４】
2004077968.tif 000006
【図５】
2004077968.tif 000007
【図６】
2004077968.tif 000008
【図７】
2004077968.tif 000009